(57)【特許請求の範囲】
【請求項１】
ガス通路内を通過するガス流量に対応して流量信号を出力する流量センサ部と、前記流量センサ部の流量信号からガス流量値を算出する流量判定部と、前記流量判定部のガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の指針値を送信し、外部より現在時刻を受信すると外部現在時刻を出力する外部通信手段と、前記外部通信手段から外部現在時刻を取得すると、前記時計部から内部現在時刻を取得し、その差から誤差を算出し誤差補正値を保持する誤差判定部と、前記時計部の内部現在時刻が誤差補正時刻になると前記誤差判定部の誤差補正値を取得して新内部現在時刻に補正する誤差補正部とを備えたガス遮断装置。
【請求項２】
ガス通路内を通過するガス流量に対応して流量信号を出力する流量センサ部と、前記流量センサ部の流量信号からガス流量値を算出する流量判定部と、前記流量判定部のガス流量値を積算し指針値として保持する指針値保持部と、時刻が予め設定している時刻になると指針値送信時刻信号を出力する時計部と、前記時計部の指針値送信時刻信号を受け取ると外部に前記指針値保持部の指針値を送信し、外部より時刻自動補正データを受信する外部通信手段と、前記外部通信手段から時刻自動補正データを取得すると、時刻補正係数を保持する補正データ部と、前記時計部の内部現在時刻が誤差補正時刻になると前記補正データ部の時刻補正係数を取得して新内部現在時刻に補正する自動補正部とを備えたガス遮断装置。
【請求項３】
ガス通路内を通過するガス流量に対応して流量信号を出力する流量センサ部と、前記流量センサ部の流量信号からガス流量値を算出する流量判定部と、前記流量判定部のガス流量値を積算し指針値として保持する指針値保持部と、時刻が予め設定している時刻になると指針値送信時刻信号を出力する時計部と、前記時計部の指針値送信時刻信号を受け取ると外部に前記指針値保持部の指針値を送信する外部通信手段と、温度センサから現在温度を取得する温度入力手段と、前記時計部の内部現在時刻が誤差補正時刻になると前記温度入力手段から現在温度を取得して新内部現在時刻に補正する温度補正部とを備えたガス遮断装置。
【請求項４】
ガス通路内を通過するガス流量に対応して流量信号を出力する流量センサ部と、前記流量センサ部の流量信号からガス流量値を算出する流量判定部と、前記流量判定部のガス流量値を積算し指針値として保持する指針値保持部と、時刻が予め設定している時刻になると指針値送信時刻信号を出力する時計部と、前記時計部の指針値送信時刻信号を受け取ると外部に前記指針値保持部の指針値を送信し、外部より現在時刻を受信すると外部現在時刻を出力する外部通信手段と、温度センサから現在温度を取得する温度入力手段と、前記外部通信手段から外部現在時刻を取得すると、前記時計部から内部現在時刻を取得し、その差から誤差を算出し誤差補正値を出力する誤差判定部と、前記誤差判定部の誤差補正値を受け取ると、前記温度入力手段の現在温度を取得し、温度誤差係数と個体誤差補正値を算出して誤差解析値を保持する誤差解析部と、前記時計部の内部現在時刻が誤差補正時刻になると、前記誤差解析部の誤差解析値および前記温度入力手段の現在温度を取得して新内部現在時刻に補正する誤差統合補正部とを備えたガス遮断装置。
【請求項５】
ガス通路内を通過するガス流量に対応して流量信号を出力する流量センサ部と、前記流量センサ部の流量信号からガス流量値を算出する流量判定部と、前記流量判定部のガス流量値を積算し指針値として保持する指針値保持部と、時刻が予め設定している時刻になると指針値送信時刻信号を出力する時計部と、前記時計部の指針値送信時刻信号を受け取ると外部に前記指針値保持部の指針値を送信する外部通信手段と、外部から時刻補正タイミングを取得する補正信号入力手段と、前記補正信号入力手段から時刻補正タイミングを取得すると前記時計部の内部現在時刻を取得し新内部現在時刻に補正する補正信号処理部とを備えたガス遮断装置。
【発明の詳細な説明】
【０００１】
【発明の属する技術分野】
本発明はガスメータ以後のガス使用時に、ガス使用上の安全性を図るガス遮断装置に関し、特にその内部時計の誤差に関するものである。
【０００２】
【従来の技術】
従来、この種のガス遮断装置は図１１に示す。図において、流量センサ部１はガス通路内を通過するガス流量に対応して流量信号Ａを出力し、流量判定部２は流量センサ部１の流量信号Ａを受け取るとガス流量値Ｂを算出する。指針値保持部３は流量判定部２のガス流量値Ｂを積算し指針値Ｄとして保持し、時計部４は時刻が予め設定している時刻になると指針値送信時刻信号Ｃを出力する。また外部通信手段５は時計部４の指針値送信時刻信号Ｃを受け取ると外部に指針値保持部３の指針値Ｄを送信するようになっていた。
【０００３】
【発明が解決しようとする課題】
しかしながら、従来のガス遮断装置では現在時刻が新たに設定されるまで＜工場出荷時に一度設定されると寿命（１０年間）まで無修正であったり、または指針値送信の都度（１ヶ月毎）時刻更新＞誤差を累積して動作していた。
このことより、ガス遮断装置を外部（公共の電話回線等を使用して）より集中検針している検針センタが、検針対象の各ガス遮断装置に指針値を順次滞りなく送信するように設定しても、指針値送信時には時刻に誤差が発生するために各ガス遮断装置間の指針値送信が輻輳するという課題を有していた。
【０００４】
【課題を解決するための手段】
本発明は上記課題を解決するために、ガス遮断装置内の内部現在時刻と外部より公共の電話回線等を使用されて送られてくる外部現在時刻を受信し、この内部現在時刻と外部現在時刻の差を算出し、以後自動的に内部現在時刻を補正するものである。これによって現在時刻のズレを低減させることができる。
【０００５】
【発明の実施の形態】
ガス通路内を通過するガス流量に対応して流量信号を出力する流量センサ部と、前記流量センサ部の前記流量信号からガス流量値を算出する流量判定部と、前記流量判定部の前記ガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の前記指針値を送信し、外部より現在時刻を受信すると外部現在時刻を出力する外部通信手段と、前記外部通信手段から前記外部現在時刻を取得すると、前記時計部から内部現在時刻を取得し、その差から誤差を算出し誤差補正値を保持する誤差判定部と、前記時計部の前記内部現在時刻が誤差補正時刻になると前記誤差判定部の前記誤差補正値を取得して新内部現在時刻に補正する誤差補正部とを有するものである。
【０００６】
また、ガス通路内を通過するガス流量に対応して流量信号を出力する流量センサ部と、前記流量センサ部の前記流量信号からガス流量値を算出する流量判定部と、前記流量判定部の前記ガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の前記指針値を送信し、外部より時刻自動補正データを受信する外部通信手段と、前記外部通信手段から時刻自動補正データを取得すると、時刻補正係数を保持する補正データ部と、前記時計部の内部現在時刻が誤差補正時刻になると前記補正データ部の前記時刻補正係数を取得して新内部現在時刻に補正する自動補正部とを有するものである。
【０００７】
また、ガス通路内を通過するガス流量に対応して流量信号を出力する流量センサ部と、前記流量センサ部の前記流量信号からガス流量値を算出する流量判定部と、前記流量判定部の前記ガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の前記指針値を送信する外部通信手段と、温度センサから現在温度を取得する温度入力手段と、前記時計部の内部現在時刻が誤差補正時刻になると前記温度入力手段から前記現在温度を取得して新内部現在時刻に補正する温度補正部とを有するものである。
【０００８】
また、ガス通路内を通過するガス流量に対応して流量信号を出力する流量センサ部と、前記流量センサ部の前記流量信号からガス流量値を算出する流量判定部と、前記流量判定部の前記ガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の前記指針値を送信し、外部より現在時刻を受信すると外部現在時刻を出力する外部通信手段と、温度センサから現在温度を取得する温度入力手段と、前記外部通信手段から外部現在時刻を取得すると、前記時計部から内部現在時刻を取得し、その差から誤差を算出し誤差補正値を出力する誤差判定部と、前記誤差判定部の前記誤差補正値を受け取ると、前記温度入力手段の前記現在温度を取得し、温度誤差係数と個体誤差補正値を算出して誤差解析値を保持する誤差解析部と、前記時計部の前記内部現在時刻が誤差補正時刻になると、前記誤差解析部の前記誤差解析値および前記温度入力手段の前記現在温度を取得して新内部現在時刻に補正する誤差統合補正部とを有するものである。
【０００９】
さらにまた、ガス通路内を通過するガス流量に対応して流量信号を出力する流量センサ部と、前記流量センサ部の前記流量信号からガス流量値を算出する流量判定部と、前記流量判定部の前記ガス流量値を積算し指針値として保持する指針値保持部と、時刻が予め設定している時刻になると指針値送信時刻信号を出力する時計部と、前記時計部の前記指針値送信時刻信号を受け取ると外部に前記指針値保持部の前記指針値を送信する外部通信手段と、外部から時刻補正タイミングを取得する補正信号入力手段と、前記補正信号入力手段から時刻補正タイミングを取得すると前記時計部の内部現在時刻を取得し新内部現在時刻に補正する補正信号処理部とを有するものである。
【００１０】
【実施例】
以下、本発明の実施例について図面を用いて説明する。
【００１１】
（実施例１）
図１は本発明の実施例１のガス遮断装置の機能ブロック図である。また図２は実施例１のプログラムフロー図である。
【００１２】
図１において、流量センサ部１はガス通路内を通過するガス流量に対応して流量信号Ａを出力する（例えば、ガス通路内を一定のガスが通過すると流量信号Ａを出力してもよいし、ガス通路内の瞬間流量を測れる流量センサを使用しても同様の効果を得られる）流量判定部２は流量センサ部１の流量信号Ａからガス流量値Ｂを算出する。
【００１３】
指針値保持部３は流量判定部２のガス流量値Ｂを積算し指針値Ｄとして保持する。時計部４は時刻が予め設定している時刻（例えば、下記の時刻補正を実施したために設定時刻判定を飛び越さないように「時刻以上」の判定とする）になると指針値送信時刻信号Ｃを出力する。
【００１４】
外部通信手段５は時計部４の指針値送信時刻信号Ｃを受け取ると外部（例えば、公共の電話回線を使用しガス遮断装置を集中検針している検針センタ）に指針値保持部３の指針値Ｄを送信し、外部より現在時刻を受信すると外部現在時刻Ｅを出力する。
【００１５】
誤差判定部６は外部通信手段５から外部現在時刻Ｅを取得すると、時計部４から内部現在時刻Ｆを取得し、その差から誤差を算出（例えば、１回目に取得した内部現在時刻と外部現在時刻の差と２回目に取得した内部現在時刻と外部現在時刻の差を外部現在時刻の経過時間で割って単位時間当たりの誤差を算出する）し誤差補正値Ｇを保持する。
【００１６】
誤差補正部７は時計部４の内部現在時刻Ｆが誤差補正時刻（例えば、先に求めた単位時間当たりの誤差が１秒となる時間が経過する時刻とし、以降誤差補正時刻に毎に時刻補正を実施する）になると誤差判定部６の誤差補正値Ｇを取得して新内部現在時刻Ｈに補正する。
【００１７】
次に動作、作用について説明すると、図２に上記手段のプログラムフローを処理Ｔ１から処理Ｔ１８に示す。今、処理開始から処理終了までのフローはそれぞれインターバルカレンダ等により周期的に処理されるものとする。
【００１８】
ガス遮断装置の流量センサ部１において処理Ｔ１はガス通路内を通過するガス流量を検知し処理Ｔ２へ移行する。処理Ｔ２はガス流量がある場合は処理Ｔ３へ移行し、ガス流量がない場合は処理Ｔ５へ移行する（例えば、ガス通路内を一定のガス量が通過する毎に流量を検出してもよいし、ガス通路内の瞬間流量を測れる流量センサを使用しても同様の効果を得られる）。
【００１９】
流量判定部２において処理Ｔ３はガス流量値を算出（例えば、小型のガス遮断装置はガス通路内を一定のガスが通過したときに出現する流量信号が０．６Ｌなので、ガス流量値は０．６Ｌとなる）して処理Ｔ４へ移行する。指針値保持部３において処理Ｔ４はガス流量値の総和を保持して処理Ｔ５へ移行する。
【００２０】
外部通信手段５において処理Ｔ５は外部（例えば、公共の電話回線を使用しガス遮断装置を集中検針している検針センタ）より、ガス遮断装置の内部現在時刻を変更する時刻設定電文が送信されてきた場合は処理Ｔ６へ移行し、時刻設定電文が送信さなかった場合は処理Ｔ１４へ移行する。
【００２１】
誤差判定部６において処理Ｔ６は時刻設定電文が送られてきたのが初回の場合は処理Ｔ７へ移行し、初回でない場合は処理Ｔ９へ移行する。処理Ｔ７は外部より送られてきた時刻設定電文の外部時刻１を保持し処理Ｔ８へ移行する。処理Ｔ８はガス遮断装置の内部時刻１を保持し処理Ｔ１４へ移行する。
【００２２】
処理Ｔ９は外部より送られてきた時刻設定電文の外部時刻２を保持し処理Ｔ１０へ移行する。処理Ｔ１０はガス遮断装置の内部時刻２を保持し処理Ｔ１１へ移行する。
【００２３】
処理Ｔ１１は誤差（例えば、外部時刻２から外部時刻１を差し引いた外部経過時間を内部時刻２から内部時刻１差し引いた内部経過時間でさらに差し引き経過時間差を求める。この経過時間差を外部経過時間で割り単位時間当たりの誤差を求める。なお外部時刻は常に日本標準時間に補正されているものとします。また複数回誤差を求める場合は前回算出した単位時間当たりの誤差に加味するものとする。）を算出し処理Ｔ１２へ移行する。
【００２４】
誤差補正部７において処理Ｔ１２は単位時間当たりの誤差を保持して処理Ｔ１３へ移行する。誤差判定部６において処理Ｔ１３は外部時刻２を外部時刻１へ内部時刻２を内部時刻１へ保持内容を移して処理Ｔ１４へ移行する。時計部４において処理Ｔ１４は内部時刻を更新して処理Ｔ１５へ移行する。
【００２５】
誤差補正部７において処理Ｔ１５は内部時刻が誤差を補正するための時間分経過したか（単位時間経過したか）どうかを判定し、経過している場合は処理Ｔ１６へ移行し、経過していない場合は処理Ｔ１７へ移行する。処理Ｔ１６は内部時刻を補正して処理Ｔ１７へ移行する。外部通信手段５において処理Ｔ１７は指針値の送信時刻が経過したかを判定し、送信時刻を経過している場合は処理Ｔ１８へ移行し、送信時刻を経過していない場合は処理を終了する。処理Ｔ１８は外部に指針値を送信して処理を終了する。
【００２６】
（実施例２）
図３(a)は本発明の実施例２のガス遮断装置の機能ブロック図である。図３(b)はマイコンを動作させるための基準クロックを作成する水晶発振子の温度特性の一例である。また図４は実施例２のプログラムフロー図である。なお実施例１と同一符号のものは同一構造を有し、説明は省略する。
【００２７】
実施例１と異なる点は、図３(a)の機能ブロック図において、補正データ部８は外部通信手段５より時刻自動補正データＪを取得すると、時刻補正係数Ｉ（例えば、図３(b)の温度特性データや、温度補正データに掛け合わせる係数や、水晶発振子の個体差による誤差のデータや、地域毎の年間気温の変動をデータ化した気温カレンダ等）を保持する。
【００２８】
自動補正部９は時計部４から内部現在時刻Ｆを取得し、予め保持されている誤差補正時刻（例えば、毎月１日２３時に実施する）になると、補正データ部８の時刻補正係数Ｉから誤差を算出（例えば、予め保持している気温カレンダから、前回補正日時から今回補正日時までの温度変動を抽出する。抽出した温度変動を温度特性データのデータ値を用いて積算し、これに係数を掛け合わせる。さらに個体差による誤差を加える）して新内部現在時刻Ｈに補正するところである。
【００２９】
次に動作、作用について具体的な説明を図４を用いて説明する。
図４に上記手段のプログラムフローを処理Ｔ１から処理Ｔ２２に示す。なお実施例１と同一符号のものは同一構造を有し、説明は省略する。
【００３０】
ただし、処理Ｔ５から処理Ｔ１３および処理Ｔ１５は欠番とする。なお処理Ｔ２はガス流量がない場合は処理Ｔ１９へ移行し、処理Ｔ４は処理Ｔ１９へ移行し、処理Ｔ１４は処理Ｔ２１へ移行するものとする。
【００３１】
外部通信手段５において処理Ｔ１９は外部より時刻自動補正データを受信したかを判定し、時刻自動補正データを受信した場合は処理Ｔ２０へ移行し、時刻自動補正データを受信していない場合は処理Ｔ１４へ移行する。
【００３２】
補正データ部８において処理Ｔ２０は時刻自動補正データＪを取得すると、時刻補正係数Ｉ（例えば、温度特性データや、温度補正データに掛け合わせる係数や、水晶発振子の個体差による誤差のデータや、地域毎の年間気温の変動をデータ化した気温カレンダ等）を保持し処理Ｔ１４へ移行する。
【００３３】
自動補正部９において処理Ｔ２１は内部現在時刻を取得し、予め保持されている誤差補正時刻（例えば、毎月１日２３時に実施する）かどうかを判定し、誤差補正時刻の場合処理Ｔ２２へ移行し、誤差補正時刻でない場合は処理Ｔ１７へ移行する。
【００３４】
処理Ｔ２２は時刻補正係数から新内部現在時刻を算出（例えば、予め保持している気温カレンダから、前回補正日時から今回補正日時までの温度変動を抽出する。抽出した温度変動を温度特性データのデータ値を用いて積算し、これに係数を掛け合わせる。さらに個体差による誤差を加える）して処理Ｔ１６へ移行する。
【００３５】
（実施例３）
図５は本発明の実施例３のガス遮断装置の機能ブロック図である。また図６は実施例３のプログラムフロー図である。なお実施例１と同一符号のものは同一構造を有し、説明は省略する。
実施例１と異なる点は、図５の機能ブロック図において、温度入力手段１０は温度センサ（ガス遮断装置のハード回路周辺の温度を取得することにより、実際の温度からその温度に対応する図３(b)の温度補正データ値を取得できる）により現在気温Ｋを取得する。
【００３６】
温度補正部１１は時計部４の内部現在時刻Ｆが誤差補正時刻（例えば、毎日１３時に実施する）になると温度入力手段１０から現在温度Ｋを取得して新内部現在時刻Ｈに補正するところである。
【００３７】
なお、予め保持している間隔（例えば、１時間間隔）で温度入力手段１０の現在温度Ｋを取得して前回算出した温度補正データ値と差分を直線近似して誤差の補正係数を累積しておき、内部現在時刻Ｆが誤差補正時刻になると累積した補正係数を用いて新内部現在時刻Ｈに補正しても同様の効果が得られる。次に動作、作用について具体的な説明を図６を用いて説明する。
【００３８】
図６に上記手段のプログラムフローを処理Ｔ１から処理Ｔ２４に示す。なお実施例１および実施例２と同一符号のものは同一構造を有し、説明は省略する。ただし、処理Ｔ５から処理Ｔ１３、処理Ｔ１５、処理Ｔ１９から処理Ｔ２０、処理Ｔ２２は欠番とする。なお処理Ｔ２はガス流量がない場合は処理Ｔ１４へ移行し、処理Ｔ４は処理Ｔ１４へ移行し、処理Ｔ２１は自動補正時刻になると処理Ｔ２３へ移行するものとする。
【００３９】
温度補正部１１において処理Ｔ２１は内部現在時刻を取得し、予め保持されている誤差補正時刻（例えば、毎日１３時に実施する）かどうかを判定し、誤差補正時刻の場合処理Ｔ２３へ移行し、誤差補正時刻でない場合は処理Ｔ１７へ移行する。温度入力手段１０において処理Ｔ２３は現在の温度を温度センサから取得して処理Ｔ２４へ移行する。
【００４０】
温度補正部１１において処理Ｔ２３は図３ｂの温度特性データから補正値を取得し（補正値が１秒以下の場合は、１秒未満の端数値を保持し次回の誤差補正時刻にこの端数値を加算する）、新内部現在時刻の補正値を算出して処理Ｔ１６へ移行する。
【００４１】
（実施例４）
図７は本発明の実施例４のガス遮断装置の機能ブロック図である。また図８は実施例４のプログラムフロー図である。なお実施例１および実施例３と同一符号のものは同一構造を有し、説明は省略する。
【００４２】
実施例１および実施例３と異なる点は、図７の機能ブロック図において、誤差解析部１２は誤差判定部６の誤差補正Ｇを受け取ると、温度入力手段１０の現在温度Ｋを取得し、温度誤差係数と個体誤差補正値（水晶発振子個体の誤差と温度特性による誤差を個別に推定する事により実施例１〜３では内包された誤差を明確にし、より正確に誤差補正が実施できる。
【００４３】
例えば、温度特性部分に掛ける係数を固定値の０．５として温度特性の誤差を算出し、実績誤差時間から温度特性による補正値を差し引いた時間を水晶発振子個体の誤差として算出する。あるいは１回目に算出した誤差解析結果と２回目に算出した誤差解析結果の温度特性部分に掛ける係数を任意の範囲で変化させて、実績誤差時間から温度特性による誤差を差し引いた時間が同値となる係数を算出することで、温度特性の誤差と水晶発振子個体の誤差を推定することができる）を算出して誤差解析値Ｌを保持する。
【００４４】
誤差統合補正部１３は時計部４の内部現在時刻Ｆが誤差補正時刻になると、誤差解析部１２の誤差解析値Ｌおよび温度入力手段１０の現在温度Ｋを取得して新内部現在時刻に補正するところである。
【００４５】
次に動作、作用について具体的な説明を図８を用いて説明する。
図８に上記手段のプログラムフローを処理Ｔ１から処理Ｔ３１に示す。なお実施例１および実施例３と同一符号のものは同一構造を有し、説明は省略する。
ただし、処理Ｔ１３、処理Ｔ１９から処理Ｔ２２、処理２４は欠番とする。なお処理Ｔ８は処理２５へ移行し、処理Ｔ１２は処理Ｔ２６へ移行し、処理Ｔ１５は内部時刻が誤差を補正するための時間が経過していれば処理Ｔ２３へ移行する。誤差解析部１２において処理Ｔ２５は現在温度１を保持して処理Ｔ１４へ移行し、処理Ｔ２６は現在温度２を保持して処理Ｔ２７へ移行する。
【００４６】
処理Ｔ２７は温度誤差係数（例えば、温度特性部分に掛ける係数を固定値の０．５として温度特性の誤差を算出する）を算出して処理Ｔ２８へ移行する。処理Ｔ２８は個体誤差補正（例えば、実績誤差時間から温度特性による補正値を差し引いた時間を水晶発振子個体の誤差として算出する）を算出して処理Ｔ２９へ移行する。処理Ｔ２９は現在温度２を現在温度１へ移して処理Ｔ１３へ移行する。
【００４７】
誤差統合補正部１３において処理Ｔ３０は図３ｂの温度特性データから補正値を取得し（補正値が１秒以下の場合は、１秒未満の端数値を保持し次回の誤差補正時刻にこの端数値を加算する）、温度補正値を算出して処理Ｔ３１へ移行する。処理Ｔ３１は水晶発振子個体の誤差を加味して新内部現在時刻の補正値を算出して処理Ｔ１６へ移行する。
【００４８】
（実施例５）
図９は本発明の実施例５のガス遮断装置の機能ブロック図である。また図１０は実施例５のプログラムフロー図である。なお実施例１と同一符号のものは同一構造を有し、説明は省略する。
【００４９】
実施例１と異なる点は、図９の機能ブロック図において、補正信号入力手段１４は外部から時刻補正タイミングＭ（例えば、テレビ等での時報を解析して自動的に時刻補正する機能から信号を受け取る）を取得する。補正信号処理部１５は補正信号入力手段１４から時刻補正タイミングＭを取得すると時計部４の内部現在時刻Ｆを取得し新内部現在時刻Ｈに補正するところである。
【００５０】
次に動作、作用について具体的な説明を図１０を用いて説明する。
図４に上記手段のプログラムフローを処理Ｔ１から処理Ｔ３３に示す。なお実施例１と同一符号のものは同一構造を有し、説明は省略する。
【００５１】
ただし、処理Ｔ５から処理Ｔ１３、処理Ｔ１５、処理Ｔ１６および処理Ｔ１９から処理Ｔ３１は欠番とする。なお処理Ｔ２はガス流量がない場合は処理Ｔ１４へ移行し、処理Ｔ４は処理Ｔ１４へ移行し、処理Ｔ１４は処理Ｔ３２へ移行するものとする。
【００５２】
補正信号入力手段１４において処理Ｔ３２は時刻補正タイミング（例えば、テレビ等での時報を解析して自動的に時刻補正する機能から信号を受け取る）の有無を判定し、時刻補正タイミングの場合は処理Ｔ３３へ移行し、時刻補正タイミングでない場合は処理Ｔ１７へ移行する。補正信号処理部１５において処理Ｔ３３は内部時刻を補正して処理Ｔ１７へ移行する。
【００５３】
【発明の効果】
説明から明らかのように本発明のガス遮断装置によれば次の効果を奉ずる。本発明１によれば現在時刻が新たに設定されるまで＜工場出荷時に一度設定されると寿命（１０年間）まで無修正であったり、または指針値送信の都度（１ヶ月毎）時刻更新＞誤差を累積して動作してしまっていたものを、数度時刻設定を実施することにより、内部時刻の誤差を算出し以降は自動的に補正を行うことができる。したがってガス遮断装置を公共の電話回線等を使用して外部より集中検針している検針センタが、検針対象の各ガス遮断装置に指針値を順次滞りなく送信するように設定しても、指針値送信時の内部時刻の誤差が低減されているのでに各ガス遮断装置間の指針値送信による輻輳を防止することができる。また検針センタは都度時刻設定をしなくてすむことにより、時刻設定時間分の通信時間を短縮することができ、１つの検針センタでの処理能力が向上するだけではなく、ガス遮断装置においては時刻設定による通信回数を削減できることでガス遮断装置を駆動している電池の余裕度の低減することができる。このことにより電池を小容量のものに設計することが可能となり小型の電池を使用することでガス遮断装置の小型化を図ったり、あるいは同容量の電池を使用しても製品寿命を延長することができる。
【００５４】
また、本発明２によればガス遮断装置の基準クロックを作成している水晶発振子の温度補正を行うことで、夏場・冬場の誤差が発生し易い場合の補正や地域（北海道や沖縄では年間気温の変動が異なる）による補正が可能となり、より誤差の低減が図れる。
【００５５】
また、本発明３によれば実際に設置されているガス遮断装置の気温を取得することで前途の本発明２では理論値（温度変動のモデル値）であった温度補正を、リアルな温度により補正することでさらに正確に誤差補正ができる。
【００５６】
また、本発明４によれば本発明１から３では内包されていた温度により発生した誤差と水晶発振子個体の誤差を分別でき、温度に依存する誤差をさらに正確に算出することができる。
【００５７】
さらにまた、本発明５によれば外部より定期的で誤差のない補正信号を取得することにより時刻の誤差を根絶することができる。
【図面の簡単な説明】
【図１】本発明の実施例１のガス遮断装置の機能ブロック図
【図２】同装置のプログラムフロー図
【図３】（ａ）本発明の実施例２のガス遮断装置の機能ブロック図（ｂ）同装置の温度特性図
【図４】同装置のプログラムフロー図
【図５】本発明の実施例３のガス遮断装置の機能ブロック図
【図６】同装置のプログラムフロー図
【図７】本発明の実施例４のガス遮断装置の機能ブロック図
【図８】同装置のプログラムフロー図
【図９】本発明の実施例５のガス遮断装置の機能ブロック図
【図１０】同装置のプログラムフロー図
【図１１】従来のガス遮断装置の機能ブロック図
【符号の説明】
１  流量センサ部
２  流量判定部
３  指針値保持部
４  時計部
５  外部通信手段
６  誤差判定部
７  誤差補正部
８  補正データ部
９  自動補正部
１０  温度入力手段
１１  温度補正部
１２  誤差解析弁
１３  誤差統合補正部
１４  補正信号入力手段
１５  補正信号処理部
【図１】
0004135230.tif 000002
【図２】
0004135230.tif 000003
【図３】
0004135230.tif 000004
【図４】
0004135230.tif 000005
【図５】
0004135230.tif 000006
【図６】
0004135230.tif 000007
【図７】
0004135230.tif 000008
【図８】
0004135230.tif 000009
【図９】
0004135230.tif 000010
【図１０】
0004135230.tif 000011
【図１１】
0004135230.tif 000012